(57)【特許請求の範囲】
【請求項１】
一部を糊付けした多数枚の付箋紙から成る付箋紙束の幅の異なる複数種を、それぞれ幅方向を位置規制した状態でセット位置に着脱自在にセット可能な付箋紙ホルダであって、
最小幅の前記付箋紙束に対応する支持幅を有すると共に、前記複数種のうち少なくとも最大幅の前記付箋紙束を重複して支持可能なメインステージと、
最小幅以外の幅の前記付箋紙束に対応する支持幅となるように、前記メインステージに隣接して１以上設けられ、且つ１以上が全体として前記メインステージと併せて最大幅の前記付箋紙束に対応する支持幅を有する１以上から成るサブステージと、
前記メインステージおよび前記１以上のサブステージを、前記付箋紙束のセット方向にスライド自在に収容すると共に、最大幅の前記付箋紙束に対応する内幅を有するホルダ本体と、
前記ホルダ本体の前記セット方向の先端部に設けられ、前記付箋紙束を前記セット位置に位置規制する位置規制部と、
前記メインステージおよび前記各サブステージを、個別に且つ前記セット位置に向かって押圧付勢する複数の付勢部材と、を備え、
前記各サブステージの前記メインステージ側の端面の丈は、前記付箋紙束の厚みに対し大きく構成されていることを特徴とする付箋紙ホルダ。
【請求項２】
一部を糊付けした多数枚の付箋紙から成る付箋紙束の幅の異なる複数種を、それぞれ幅方向を位置規制した状態でセット位置に着脱自在にセット可能な付箋紙ホルダであって、
最小幅の前記付箋紙束に対応する支持幅を有すると共に、前記複数種のうち少なくとも最大幅の前記付箋紙束を重複して支持可能なメインステージと、
最小幅以外の幅の前記付箋紙束に対応する支持幅となるように、前記メインステージに隣接して１以上設けられ、且つ１以上が全体として前記メインステージと併せて最大幅の前記付箋紙束に対応する支持幅を有する１以上から成るサブステージと、
前記メインステージおよび前記１以上のサブステージを、前記付箋紙束のセット方向にスライド自在に収容すると共に、最大幅の前記付箋紙束に対応する内幅を有するホルダ本体と、
前記ホルダ本体の前記セット方向の先端部に設けられ、前記付箋紙束を前記セット位置に位置規制する位置規制部と、
前記メインステージおよび前記各サブステージを、個別に且つ前記セット位置に向かって押圧付勢する複数の付勢部材と、を備え、
前記各サブステージは、サブステージ本体と、当該サブステージ本体を前記セット方向にガイドするメインステージ側のガイド部材とから成り、
前記各サブステージ用の付勢部材は、前記各サブステージ本体を個別に付勢するステージ用付勢部材と、前記各ガイド部材を個別に付勢するガイド用付勢部材とから成ることを特徴とする付箋紙ホルダ。
【請求項３】
一部を糊付けした多数枚の付箋紙から成る付箋紙束の幅の異なる複数種を、それぞれ幅方向を位置規制した状態でセット位置に着脱自在にセット可能な付箋紙ホルダであって、
最小幅の前記付箋紙束に対応する支持幅を有すると共に、前記複数種のうち少なくとも最大幅の前記付箋紙束を重複して支持可能なメインステージと、
最小幅以外の幅の前記付箋紙束に対応する支持幅となるように、前記メインステージに隣接して１以上設けられ、且つ１以上が全体として前記メインステージと併せて最大幅の前記付箋紙束に対応する支持幅を有する１以上から成るサブステージと、
前記メインステージおよび前記１以上のサブステージを、前記付箋紙束のセット方向にスライド自在に収容すると共に、最大幅の前記付箋紙束に対応する内幅を有するホルダ本体と、
前記ホルダ本体の前記セット方向の先端部に設けられ、前記付箋紙束を前記セット位置に位置規制する位置規制部と、
前記メインステージおよび前記各サブステージを、個別に且つ前記セット位置に向かって押圧付勢する複数の付勢部材と、を備え、
前記ホルダ本体は、前記付箋紙束の長さ方向を位置規制した状態でセット可能に構成されていることを特徴とする付箋紙ホルダ。
【請求項４】
一部を糊付けした多数枚の付箋紙から成る付箋紙束の幅の異なる複数種を、それぞれ幅方向を位置規制した状態でセット位置に着脱自在にセット可能な付箋紙ホルダであって、
最小幅の前記付箋紙束に対応する支持幅を有すると共に、前記複数種のうち少なくとも最大幅の前記付箋紙束を重複して支持可能なメインステージと、
最小幅以外の幅の前記付箋紙束に対応する支持幅となるように、前記メインステージに隣接して１以上設けられ、且つ１以上が全体として前記メインステージと併せて最大幅の前記付箋紙束に対応する支持幅を有する１以上から成るサブステージと、
前記メインステージおよび前記１以上のサブステージを、前記付箋紙束のセット方向にスライド自在に収容すると共に、最大幅の前記付箋紙束に対応する内幅を有するホルダ本体と、
前記ホルダ本体の前記セット方向の先端部に設けられ、前記付箋紙束を前記セット位置に位置規制する位置規制部と、
前記メインステージおよび前記各サブステージを、個別に且つ前記セット位置に向かって押圧付勢する複数の付勢部材と、
前記メインステージ、前記各サブステージおよび前記各付勢部材を一体に支持する支持プレートと、を備えたことを特徴とする付箋紙ホルダ。
【発明の詳細な説明】
【０００１】
【発明の属する技術分野】
本発明は、付箋紙束を着脱自在にセット可能な付箋紙ホルダに関するものである。
【０００２】
【従来の技術】
従来、付箋紙は、一部を糊付けすることで多数枚を積層した付箋紙束の形態で市場に提供され、ユーザにより付箋紙束から一枚ずつ引き剥がされ、メモ書きされ、ファイルなどの被着体に貼着されている。そして、この付箋紙束には、ユーザの使用態様に応じるべく、幅の異なるものが複数種用意されている。
【０００３】
【発明が解決しようとする課題】
ところで、付箋紙束は、通常、机上に置いた状態で使用されるものであるため、文房具類と接触しての部分的変形や、糊付け部分へのホコリ等の付着により、その機能を損ねてしまう問題がある。そこで、かかる問題を解消する付箋紙ホルダを用意しようとすると、付箋紙束の安定セットおよび各幅の複数種を考慮する必要があり、この場合、各幅に応じたサイズの付箋紙ホルダを個別に用意すること、或いは一の付箋紙ホルダを用意しこれに幅寄せ機構を設けることが想定される。
しかし、このようにすると前者では、机上廻りが煩雑になるなどユーザの取扱性および利便性に支障をきたし、また後者では、幅寄せ機構のためセットした付箋紙束廻りが煩雑なものとなり、ユーザによる付箋紙の引き剥がしに支障をきたすおそれがあり、特に、使用により付箋紙束の厚みが薄くなったときに、取り扱い難くなる問題がある。
【０００４】
本発明は、任意の幅の付箋紙束に対し、ユーザの取扱性を向上することができると共に、幅規制した状態で安定にセットすることができ、且つ枚数減となってもセット位置を適切に維持することができる付箋紙ホルダを提供することをその目的としている。
【０００５】
【課題を解決するための手段】
本発明の付箋紙ホルダは、一部を糊付けした多数枚の付箋紙から成る付箋紙束の幅の異なる複数種を、それぞれ幅方向を位置規制した状態でセット位置に着脱自在にセット可能な付箋紙ホルダであって、最小幅の付箋紙束に対応する支持幅を有すると共に、複数種のうち少なくとも最大幅の付箋紙束を重複して支持可能なメインステージと、最小幅以外の幅の付箋紙束に対応する支持幅となるように、メインステージに隣接して１以上設けられ、且つ１以上が全体としてメインステージと併せて最大幅の付箋紙束に対応する支持幅を有する１以上から成るサブステージと、メインステージおよび１以上のサブステージを、付箋紙束のセット方向にスライド自在に収容すると共に、最大幅の付箋紙束に対応する内幅を有するホルダ本体と、ホルダ本体のセット方向の先端部に設けられ、付箋紙束をセット位置に位置規制する位置規制部と、メインステージおよび各サブステージを、個別に且つ前記セット位置に向かって押圧付勢する複数の付勢部材と、を備え、各サブステージのメインステージ側の端面の丈は、付箋紙束の厚みに対し大きく構成されていることを特徴とする。
【０００６】
この構成によれば、最小幅の付箋紙束の場合には、メインステージに支持されると共に、メインステージを介して付勢部材により位置規制部にセット位置に位置規制される。このとき、メインステージはサブステージに対し付箋紙束の厚み分相対的にスライド移動して沈み、セット位置に付勢されたサブステージが、その側端面で付箋紙束の幅方向の積層面に当接して、付箋紙束の幅方向ガイドを構成する。一方、最大幅の付箋紙束では、メインステージおよび全サブステージに亘って支持されてセット位置に位置規制されると共に、内接するホルダ本体に幅方向ガイドを構成される。
また、中間幅の付箋紙束に対応するべく、サブステージがメインステージと足してその支持幅を構成するように、或いはサブステージが独立してその支持幅を構成するように設けられる。前者では、付箋紙束はメインステージおよび１以上のサブステージに亘って支持され、一方後者では、付箋紙束は対応するサブステージに支持され、不支持のサブステージにより幅方向ガイドを構成される。そして、最大幅のものを除き付箋紙束は、他方からの幅方向ガイドを、ホルダ本体、メインステージの側端面またはサブステージの側端面により構成されることとなる。したがって、上記構成により、任意の幅の付箋紙束を幅方向に位置規制した状態でセットすることができるようになる。
また、付勢状態でセットされる付箋紙束は、セット位置を適切に維持されるため、使用により枚数減となっても、引き剥がされる最上位の付箋紙を常に定位置に安定して臨ませることができる。
さらに、厚みの薄い付箋紙束であっても、不支持のサブステージで適切に幅方向ガイドをなすことができる。このため、厚みの厚い付箋紙束をセットし、使用により枚数減となっても、付箋紙束がそのセット状態から幅方向に位置ずれすることがない。
【０００７】
本発明の他の付箋紙ホルダは、一部を糊付けした多数枚の付箋紙から成る付箋紙束の幅の異なる複数種を、それぞれ幅方向を位置規制した状態でセット位置に着脱自在にセット可能な付箋紙ホルダであって、最小幅の付箋紙束に対応する支持幅を有すると共に、複数種のうち少なくとも最大幅の付箋紙束を重複して支持可能なメインステージと、最小幅以外の幅の付箋紙束に対応する支持幅となるように、メインステージに隣接して１以上設けられ、且つ１以上が全体としてメインステージと併せて最大幅の付箋紙束に対応する支持幅を有する１以上から成るサブステージと、メインステージおよび１以上のサブステージを、付箋紙束のセット方向にスライド自在に収容すると共に、最大幅の付箋紙束に対応する内幅を有するホルダ本体と、ホルダ本体のセット方向の先端部に設けられ、付箋紙束をセット位置に位置規制する位置規制部と、メインステージおよび各サブステージを、個別に且つ前記セット位置に向かって押圧付勢する複数の付勢部材と、を備え、各サブステージは、サブステージ本体と、サブステージ本体をセット方向にガイドするメインステージ側のガイド部材とから成り、各サブステージ用の付勢部材は、各サブステージ本体を個別に付勢するステージ用付勢部材と、各ガイド部材を個別に付勢するガイド用付勢部材とから成ることを特徴とする。
【０００８】
この構成によれば、最小幅の付箋紙束の場合には、メインステージに支持されると共に、メインステージを介して付勢部材により位置規制部にセット位置に位置規制される。このとき、メインステージはサブステージに対し付箋紙束の厚み分相対的にスライド移動して沈み、セット位置に付勢されたサブステージが、その側端面で付箋紙束の幅方向の積層面に当接して、付箋紙束の幅方向ガイドを構成する。一方、最大幅の付箋紙束では、メインステージおよび全サブステージに亘って支持されてセット位置に位置規制されると共に、内接するホルダ本体に幅方向ガイドを構成される。
また、中間幅の付箋紙束に対応するべく、サブステージがメインステージと足してその支持幅を構成するように、或いはサブステージが独立してその支持幅を構成するように設けられる。前者では、付箋紙束はメインステージおよび１以上のサブステージに亘って支持され、一方後者では、付箋紙束は対応するサブステージに支持され、不支持のサブステージにより幅方向ガイドを構成される。そして、最大幅のものを除き付箋紙束は、他方からの幅方向ガイドを、ホルダ本体、メインステージの側端面またはサブステージの側端面により構成されることとなる。したがって、上記構成により、任意の幅の付箋紙束を幅方向に位置規制した状態でセットすることができるようになる。
また、付勢状態でセットされる付箋紙束は、セット位置を適切に維持されるため、使用により枚数減となっても、引き剥がされる最上位の付箋紙を常に定位置に安定して臨ませることができる。
さらに、各幅の付箋紙束の幅方向ガイドをガイド部材で行うことができる。すなわち、付箋紙束が複数のステージに亘って支持されると、これらステージ間に位置するガイド部材は、付箋紙束によりこれを支持する複数のステージと共にホルダ本体に対し相対的に沈み、一方で付勢状態の他のガイド部材が付箋紙束の幅方向ガイドを構成し得る。また、ガイド部材により、厚みの薄い付箋紙束に対しても有効に幅方向ガイドをなすことができる。
【０００９】
本発明の他の付箋紙ホルダは、一部を糊付けした多数枚の付箋紙から成る付箋紙束の幅の異なる複数種を、それぞれ幅方向を位置規制した状態でセット位置に着脱自在にセット可能な付箋紙ホルダであって、最小幅の付箋紙束に対応する支持幅を有すると共に、複数種のうち少なくとも最大幅の付箋紙束を重複して支持可能なメインステージと、最小幅以外の幅の付箋紙束に対応する支持幅となるように、メインステージに隣接して１以上設けられ、且つ１以上が全体としてメインステージと併せて最大幅の付箋紙束に対応する支持幅を有する１以上から成るサブステージと、メインステージおよび１以上のサブステージを、付箋紙束のセット方向にスライド自在に収容すると共に、最大幅の付箋紙束に対応する内幅を有するホルダ本体と、ホルダ本体のセット方向の先端部に設けられ、付箋紙束をセット位置に位置規制する位置規制部と、メインステージおよび各サブステージを、個別に且つセット位置に向かって押圧付勢する複数の付勢部材と、を備え、ホルダ本体は、付箋紙束の長さ方向を位置規制した状態でセット可能に構成されていることを特徴とする。
【００１０】
この構成によれば、最小幅の付箋紙束の場合には、メインステージに支持されると共に、メインステージを介して付勢部材により位置規制部にセット位置に位置規制される。このとき、メインステージはサブステージに対し付箋紙束の厚み分相対的にスライド移動して沈み、セット位置に付勢されたサブステージが、その側端面で付箋紙束の幅方向の積層面に当接して、付箋紙束の幅方向ガイドを構成する。一方、最大幅の付箋紙束では、メインステージおよび全サブステージに亘って支持されてセット位置に位置規制されると共に、内接するホルダ本体に幅方向ガイドを構成される。
また、中間幅の付箋紙束に対応するべく、サブステージがメインステージと足してその支持幅を構成するように、或いはサブステージが独立してその支持幅を構成するように設けられる。前者では、付箋紙束はメインステージおよび１以上のサブステージに亘って支持され、一方後者では、付箋紙束は対応するサブステージに支持され、不支持のサブステージにより幅方向ガイドを構成される。そして、最大幅のものを除き付箋紙束は、他方からの幅方向ガイドを、ホルダ本体、メインステージの側端面またはサブステージの側端面により構成されることとなる。したがって、上記構成により、任意の幅の付箋紙束を幅方向に位置規制した状態でセットすることができるようになる。
また、付勢状態でセットされる付箋紙束は、セット位置を適切に維持されるため、使用により枚数減となっても、引き剥がされる最上位の付箋紙を常に定位置に安定して臨ませることができる。
さらに、付箋紙束は四周方向から位置規制されるため、位置ずれ難くなり安定セットされる。また、ホルダ本体で長さ規制を行っているため、その分、付箋紙ホルダ自体を複雑化することなく且つ部品点数を減らすことができる。
【００１１】
本発明の他の付箋紙ホルダは、一部を糊付けした多数枚の付箋紙から成る付箋紙束の幅の異なる複数種を、それぞれ幅方向を位置規制した状態でセット位置に着脱自在にセット可能な付箋紙ホルダであって、最小幅の付箋紙束に対応する支持幅を有すると共に、複数種のうち少なくとも最大幅の付箋紙束を重複して支持可能なメインステージと、最小幅以外の幅の付箋紙束に対応する支持幅となるように、メインステージに隣接して１以上設けられ、且つ１以上が全体としてメインステージと併せて最大幅の付箋紙束に対応する支持幅を有する１以上から成るサブステージと、メインステージおよび１以上のサブステージを、付箋紙束のセット方向にスライド自在に収容すると共に、最大幅の付箋紙束に対応する内幅を有するホルダ本体と、ホルダ本体のセット方向の先端部に設けられ、付箋紙束をセット位置に位置規制する位置規制部と、メインステージおよび各サブステージを、個別に且つセット位置に向かって押圧付勢する複数の付勢部材と、メインステージ、各サブステージおよび各付勢部材を一体に支持する支持プレートと、を備えたことを特徴とする。
【００１２】
この構成によれば、最小幅の付箋紙束の場合には、メインステージに支持されると共に、メインステージを介して付勢部材により位置規制部にセット位置に位置規制される。このとき、メインステージはサブステージに対し付箋紙束の厚み分相対的にスライド移動して沈み、セット位置に付勢されたサブステージが、その側端面で付箋紙束の幅方向の積層面に当接して、付箋紙束の幅方向ガイドを構成する。一方、最大幅の付箋紙束では、メインステージおよび全サブステージに亘って支持されてセット位置に位置規制されると共に、内接するホルダ本体に幅方向ガイドを構成される。
また、中間幅の付箋紙束に対応するべく、サブステージがメインステージと足してその支持幅を構成するように、或いはサブステージが独立してその支持幅を構成するように設けられる。前者では、付箋紙束はメインステージおよび１以上のサブステージに亘って支持され、一方後者では、付箋紙束は対応するサブステージに支持され、不支持のサブステージにより幅方向ガイドを構成される。そして、最大幅のものを除き付箋紙束は、他方からの幅方向ガイドを、ホルダ本体、メインステージの側端面またはサブステージの側端面により構成されることとなる。したがって、上記構成により、任意の幅の付箋紙束を幅方向に位置規制した状態でセットすることができるようになる。
また、付勢状態でセットされる付箋紙束は、セット位置を適切に維持されるため、使用により枚数減となっても、引き剥がされる最上位の付箋紙を常に定位置に安定して臨ませることができる。
さらに、メインステージ等が支持プレートで一括して支持されるため、これらの部材廻りを煩雑・複雑化することなく、管理を含めその取扱い性を向上することができる。
【００２３】
【発明の実施の形態】
以下、添付の図面に基づいて、本発明の一実施形態に係る付箋紙ホルダを適用した付箋紙プリンタについて説明する。この付箋紙プリンタは、パーソナルコンピュータ（以下、パソコン）と接続して、パソコンで作成し選択した文字、図形、Ｅメールの内容などの各種データを付箋紙に印刷するものである。具体的には、付箋紙プリンタは、多数枚の付箋紙を部分糊付けして成る付箋紙束をセットし、セットした付箋紙束から付箋紙を一枚ずつ捲り上げ、糊付け部分から引き剥がしながら先方へ送ると共に、これにパソコン上の各種データを印刷し、印刷済み付箋紙を作成するものである。
【００２４】
図１は、付箋紙プリンタの全体斜視図であり、図２は、付箋紙プリンタの装置ケースを省略した内部の構造を示す斜視図である。両図に示すように、この付箋紙プリンタ１は、装置ケース２により外郭を形成したプリンタ本体３と、プリンタ本体３にセットした印刷対象物となる付箋紙束４とで構成されている。付箋紙束４は、多数枚の合同形状の付箋紙４ｈを、それらの同じ位置の裏面基端側の一部分を糊付けして積層したものである。付箋紙４ｈは、付箋紙束４から一枚ずつ剥離可能に構成されていると共に、剥離後に、この糊付け部分４ｊを介して、紙などの被着体に対し再貼着可能に構成されている。ここでは、付箋紙幅の異なる２種類の付箋紙束４（最小幅４ａおよび最大幅４ｄ）が用意されていて（図５（ａ）参照）、図２、３および４等では最小幅４ａのものを表している。
【００２５】
装置ケース２は、全体として小型であって且つマウス形に形成され、下面には付箋紙束４をケース内部に下方から導入するための付箋紙導入開口５と、前面中央には印刷済みの付箋紙４ｈをケース外部に送り出すための水平スリット状の付箋紙排出口６とが形成されている。また、装置ケース２には、外側の表面が装置ケース２の上面の一部を構成する開閉蓋７が取り付けられている。
【００２６】
開閉蓋７は、後端部に内蔵したヒンジにより、上下方向に開閉自在に構成され、開閉蓋７の内側には、図３に示すように、インクリボンＲを収容するリボンカートリッジ８が着脱自在に装着されている。この付箋紙プリンタ１は、付箋紙導入開口５から内部に導入しセットした付箋紙束４から、最上位の付箋紙４ｈを一枚ずつ捲り上げ、これを糊付け部分４ｊから引き剥がしながら前方斜め上方へ送ると共に、これにインクリボンＲを介して印刷を行い、付箋紙排出口６から印刷面を上にした状態で排出する。
【００２７】
プリンタ本体３の装置ケース２の内部には、プリンタフレーム１０が配設されており、プリンタフレーム１０には、下側に位置して付箋紙導入開口５に臨み付箋紙束４を着脱自在に保持する付箋紙ホルダ１１と、付箋紙ホルダ１１に対峙して上方に位置し付箋紙４ｈに印刷を行う付箋紙印刷機構１２と、後述するピックアップローラ５２の回転により付箋紙ホルダ１１に保持された付箋紙束４から付箋紙４ｈを一枚ずつ捲り上げ且つ引き剥がすと共に、付箋紙印刷機構１２に付箋紙４ｈを送りこれを付箋紙排出口６から排出する付箋紙供給機構１３と、が支持されている。
【００２８】
プリンタフレーム１０は、鉛直方向に延びる平板状のメインフレーム１４と、メインフレーム１４の下部に取り付けられ、平面視「Ｃ」字状のサブフレーム１５と、で構成されている。そして、メインフレーム１４には、付箋紙供給機構１３および付箋紙印刷機構１２の各構成部品が、主に片持ちで支持されている。また、メインフレーム１４とサブフレーム１５とで囲まれた開口部には、付箋紙ホルダ１１が不動に支持されている。
【００２９】
サブフレーム１５は、メインフレーム１４に平行に対面する連結板部１６と、連結板部１６の両端部をメインフレーム１４側に折り曲げて形成した一対の側板部１７とで構成され、さらに側板部１７の先端部をメインフレーム１４と平行に内側に折り曲げた部分でメインフレーム１４に固定されている。サブフレーム１５の連結板部１６には、計４箇所に付箋紙ホルダ１１を支持する支持係合孔１８が形成され、これに対応してメインフレーム１４には、その下部に計４箇所の支持係合孔１８が形成されている（図４参照）。
【００３０】
付箋紙ホルダ１１は、図４、図７および図８に表すように、付箋紙束４を水平に載置する２部材構成のセットステージ２０と、セットステージ２０を上下方向にスライド自在に収容する四周枠状のホルダ本体２１と、付勢部材２３を介してセットステージ２０を下側から支持する蓋体２２と、で構成されている。蓋体２２は、セットステージ２０および付勢部材２３を一体に支持して、これらをホルダ本体２１に挿入した後、ホルダ本体２１の下面に取り付けられ、且つこの状態で付箋紙導入開口５を閉塞する。
【００３１】
セットステージ２０は、メインフレーム１４側のメインステージ２４と、メインステージ２４に隣接するサブステージ２５との２部材で構成され、付箋紙束４の長さと略同じ長さを有している。メインステージ２４は、最小幅の付箋紙に対応する支持幅を有して方形に形成されている。メインステージ２４と同様に方形に形成されたサブステージ２５は、メインステージ２４の幅方向に隣接し、メインステージ２４の支持幅と併せて最大幅の付箋紙に対応する支持幅を有している。すなわち、セットステージ２０では、最小幅の付箋紙束４ａはメインステージ２４にのみ支持され、最大幅の付箋紙束４ｄはメインステージ２４およびサブステージ２５の両ステージに亘って支持される。
【００３２】
また、セットステージ２０には、その載置面に付箋紙束４のセット方向を示す矢印状の表示部３７が形成され、その矢先方向に付箋紙束４の自由端が向くようにすることで、付箋紙束４が適切にセットされるようになっている（図４参照）。なお、表示部３７は、メインステージ２４またはサブステージ２５の一方の載置面に形成すればよい。
【００３３】
ホルダ本体２１は、最大幅の付箋紙に対応する内幅を有して形成されており、その内周側面が付箋紙導入開口５に連通していて、付箋紙束４、メインステージ２４およびサブステージ２５の導入を案内する。また、ホルダ本体２１は、セットされる各幅の付箋紙束４の長手方向の前後を位置規制する。一方、ホルダ本体２１の左右の両外側面には、それぞれ上記の４個所の支持係合孔１８に対応する４つの係合突起３９が形成され、これにより、付箋紙ホルダ１１がプリンタフレーム１０に固定されるようになっている。もっとも、各支持係合孔１８を前後方向に水平スリット状に延在するように形成し、付箋紙ホルダ１１を前後方向に僅かに位置調整できるようにしてもよい。
【００３４】
ホルダ本体２１の上側開口の前後には、付箋紙束４の前端部（自由端側）および後端部（糊付け部側）を相対的に押さえる一対の位置規制部２６，２６が内向きに突設されている。位置規制部２６は、セットステージ２０との間で付箋紙束４を挟持するようにセットし、このセット位置に付箋紙束４を位置規制して、最上位の付箋紙４ｈを水平に且つ定位置に位置規制している。一方、ホルダ本体２１の下端部は、セットステージ２０や付箋紙束４の導入を案内すべく付箋紙導入開口５に向かって拡開形成されている（図７参照）。
【００３５】
蓋体２２（支持プレート）は、外形がセットステージ２０とほぼ同形状に形成され、ホルダ本体２１の下側開口に嵌合するようになっている。そして、蓋体２２は、その四辺に突出形成した突出固定部３８により、ホルダ本体２１の下面にねじ止め固定されている。また、この状態で蓋体２２は付箋紙導入開口５を閉塞し、その下面は装置ケース２の下面と面一になる。なお、かかるねじ止め固定式に代えて、フック形式の閉蓋構造を執ることも可能である。
【００３６】
付勢部材２３は、図５、図７および図８に表すように、セットステージ２０と蓋体２２との間にあって、メインステージ２４の前後に配設した一対のメイン加圧ばね２３ａ，２３ａと、サブステージ２５の前後に配設した一対のサブ加圧ばね２３ｂ，２３ｂとで構成されている。各メイン加圧ばね２３ａは、一方の端部がメインステージ２４の下面部に係止し、他方の端部が蓋体２２の上面部に係止している。同様に、各サブ加圧ばね２３ｂは、一方の端部がサブステージ２５の下面部に係止し、他方の端部が蓋体２２の上面部に係止している。そして、メイン加圧ばね２３ａにより、メインステージ２４が蓋体２２を受けとして上方にバランスよく付勢され、サブ加圧ばね２３ｂにより、サブステージ２５が蓋体２２を受けとして上方にバランスよく付勢されている。
【００３７】
メイン加圧ばね２３ａおよびサブ加圧ばね２３ｂは、同一のばねで構成されていて、メインステージ２４およびサブステージ２５は同一の条件で上方に付勢される。すなわち、メインステージ２４およびサブステージ２５は、対応する加圧ばね２３ａ、２３ｂによりそれぞれ個別に上下動自在に構成され、ホルダ本体２１内で付箋紙束をセットしていない状態では、それぞれ均一な力で位置規制部２６に押し付けられている。
【００３８】
一方、付箋紙束４をセットした状態では、付勢部材２３が押し縮められて、これらステージ（２４，２５）を介して付箋紙束４が均一な力でセット位置に押し付けられる。したがって、付箋紙束４は、付箋紙４ｈが１枚ずつ送り出され目減りしても、その最上位に位置する付箋紙４ｈの高さレベルは、常に定位置を維持される。
【００３９】
図５（ｄ）を参照して具体的に説明すると、セットする付箋紙束４ａが最小幅のものでは、これを支持するメインステージ２４のみがメイン加圧ばね２３ａを押し縮めて下動し、メインステージ２４を介して付箋紙束４ａは、セット位置に均一な力で押し付けられる。このとき、サブステージ２５のメインステージ２４側の側端面が、付箋紙束４ａの積層面の幅方向ガイドを構成する。すなわち、最小幅の付箋紙束４ａは、上下方向の移動を許容された状態で、長さ方向の前後積層面がホルダ本体２１の前後内側面に当接すると共に、幅方向の一方の積層面がホルダ本体２１の内側面に当接し、且つ他方の積層面がサブステージ２５の側端面に当接した状態となる。
【００４０】
一方、セットする付箋紙束４ｄが最大幅のものでは、これを跨って支持するメインステージ２４およびサブステージ２５が、メイン加圧ばね２３ａおよびサブ加圧ばね２３ｂを押し縮めて平行に下動し、これら両ステージ２４，２５を介して付箋紙束４ｄは、セット位置に均等な力でセット位置に押し付けられる。この場合には、最大幅の付箋紙束４ｄは、その四周積層面がホルダ本体２１の内側面に当接した状態で、その上下方向の移動が許容されることとなる。このように、いずれの幅の付箋紙束４でもあっても、付箋紙ホルダ１１は、付箋紙束４をその幅方向および長さ方向を規制した状態で適切に且つ安定してセットすることができるようになっている。
【００４１】
なお、サブステージ２５が最小幅の付箋紙束４ａの幅方向ガイドを適切になすべく、図６に表すように、メインステージ２４側の側端面の丈を付箋紙束４の厚みに対し大きく構成することが好ましい。この場合例えば、同図に表すように、サブステージ２５のメインステージ２４側である内側の側端面を、その下面より下方に垂下することが好ましい。これにより、厚みの厚い付箋紙束４をセットし、その使用により枚数減となることで薄い付箋紙束４となっても、付箋紙束４がそのセット状態から幅方向に位置ずれすることを防止することができ、つづく印刷等に支障をきたすことがない。
【００４２】
付箋紙印刷機構１２は、図２ないし図４および図７に示すように、メインフレーム１４に固定された部分フレーム２７と、部分フレーム２７に一体的に固定したサーマルヘッド２８と、上記のリボンカートリッジ８のインクリボンＲを巻き取るリボン巻取機構２９と、を有している。サーマルヘッド２８は、ヘッド本体３０と、ヘッド本体３０を支持するヘッドホルダ３１とで構成され、ヘッドホルダ３１は、部分フレーム２７を水平に折り曲げることで形成されている。なお、ヘッド本体３０に設けた発熱素子の列設長さは、最少幅或いは最大幅の付箋紙に対応させることが好ましい。実施形態のように最小幅とした場合には、最大幅の付箋紙の非印刷部分は、手書き用のスペース（余白）となる。
【００４３】
また、部分フレーム２７には、サーマルヘッド２８に近接し且つこれと平行にガイドローラ３２が取り付けられている。ガイドローラ３２は、部分フレーム２７に片持ちで支持固定されたガイドローラ軸３３と、ガイドローラ軸３３に自由回転可能に軸支されたガイドローラ本体３４とで構成されている。ガイドローラ３２は、印刷位置に上動したピックアップローラ５２の回転を受けて従動回転し、ピックアップローラ５２との間で付箋紙４ｈを挟んで回転送りする（詳細は後述する）。
【００４４】
部分フレーム２７は、一対の脚片３５，３５を介してメインフレーム１４に固定されており、この両脚片３５，３５間の間隙に臨むように部分フレーム２７には、円形の嵌合孔３６が貫通形成されている。そして、両脚片３５，３５間に上記のリボン巻取機構２９の主要部が内包され、且つこの嵌合孔３６から、上記のリボン巻取機構２９のリボン巻取軸４０がサーマルヘッド２８に平行に突出している。
【００４５】
リボン巻取機構２９は、リボンカートリッジ８のリボン巻取リール４９に係合するリボン巻取軸４０と、リボン巻取軸４０に基部に一体に固着したリボン巻取ギヤ４１と、リボン巻取軸４０およびリボン巻取ギヤ４１を回転自在に支持する第１ピン軸４２と、リボン巻取ギヤ４１に噛み合う巻取中間ギヤ４３と、巻取中間ギヤ４３を回転自在に支持する第２ピン軸４４と、を備えている。
【００４６】
第１ピン軸４２および第２ピン軸４４は、相互並行に且つ片持ちでメインフレーム１４に固定されている。巻取中間ギヤ４３は、リボン巻取ギヤ４１に噛み合う小ギヤ４５と後述するピックアップローラ５２のローラギヤ６３に噛み合う大ギヤ４６とで一体に形成されている。詳細は後述するが、リボン巻取機構２９への動力は、印刷位置に上動したピックアップローラ５２のローラギヤ６３から入力し、インクリボンＲの巻き取りが行われる。
【００４７】
リボンカートリッジ８は、平面視略長円形に形成された２分割構造のカートリッジケース４７により外郭を形成されている。カートリッジケース４７の内部には、インクリボンＲを繰り出し自在に巻回したリボン繰出しリール４８と、インクリボンＲを巻き取るリボン巻取リール４９とが回転自在に収容されている。リボン繰出しリール４８は、自由回転可能に構成され、リボン巻取リール４９は、リボン巻取軸４０に係合して駆動回転し、リボン繰出しリール４８から繰り出したインクリボンＲを巻取走行させる。
【００４８】
リボン繰出しリール４８とリボン巻取リール４９との間のカートリッジケース４７の下面には、付箋紙ホルダ１１の開口に対峙すると共に、サーマルヘッド２８が臨むヘッド開口が形成されている（図示省略）。インクリボンＲは、リボン繰出しリール４８から繰り出され、サーマルヘッド２８の下側を迂回するようにして一旦ヘッド開口に臨み、サーマルヘッド２８の位置で付箋紙４ｈと重なって併走した後、リボン巻取リール４９に巻き取られる。すなわち、ピックアップローラ５２とサーマルヘッド２８との間で、付箋紙４ｈとインクリボンＲとを挟み込み、これらを同方向に送りつつ発熱素子の発熱駆動により付箋紙４ｈに印刷が行われる。
【００４９】
ここで、この付箋紙プリンタ１をユーザが使用して、付箋紙４ｈに印刷をする場合について簡単に説明する。先ず、付箋紙プリンタ１とパソコンＰＣとをＵＳＢあるいはケーブルで相互に接続する。これにより、付箋紙プリンタ１は、パソコンＰＣと通信接続状態となる。次に、付箋紙プリンタ１から蓋体２２をセットステージ２０と共に取り外し、セット方向の表示に従って、付箋紙束４をセットステージ２０に載せる。この状態で、付箋紙束４およびセットステージ２０を鉛直下方からホルダ本体２１に案内し、蓋体２２で付箋紙導入開口５を閉塞することで、付箋紙束４は定位置にセットされる。
【００５０】
また、付箋紙束４をセットするのに相前後して、開閉蓋７を開閉操作して、リボンカートリッジ８を装着する。このとき、リボンカートリッジ８のヘッド開口をサーマルヘッド２８に案内して、リボンカートリッジ８を装着すると、ヘッド開口から幾分弛みをもって引き出しておいたインクリボンＲがサーマルヘッド２８の下側に位置し、且つリボン巻取リール４９がリボン巻取軸４０に係合する。これにより、付箋紙プリンタ１は、印刷待機状態となる。
【００５１】
ここで、パーソナルコンピュータを操作して、所望の印刷データを作成・選択し、印刷実行を指令する。印刷実行が指令されると、最上位の付箋紙４ｈが付箋紙束４から捲り上がり、ピックアップローラ５２に乗り上げる。続いて、ピックアップローラ５２が上動し、その上動端位置でサーマルヘッド２８との間で付箋紙４ｈおよびインクリボンＲを挟み込むと共に、またピックアップローラ５２は、ガイドローラ３２との間で付箋紙４ｈを挟持する。ピックアップローラ５２の回転により、付箋紙４ｈおよびインクリボンＲが同時に送られると共に、適宜サーマルヘッド２８が発熱駆動し、インクリボンＲのインクが熱転写して付箋紙４ｈに印刷が行われる。
【００５２】
印刷後のインクリボンＲは、リボンカートリッジ８内で巻き取られるが、印刷後の付箋紙４ｈは、付箋紙束４から引き剥がされ、上面の印刷面を上にして付箋紙排出口６から送り出されてゆく。このとき、送り出される印刷済み付箋紙４ｈは、付箋紙排出口６でその送り出しが停止され、付箋紙排出口６から落下しないようになっている。
【００５３】
具体的には、付箋紙排出口６には、送り出した付箋紙４ｈの基端側を下側から保持する付箋紙保持部が形成されており（図示省略）、付箋紙保持部は、付箋紙４ｈの先端を付箋紙排出口６から突出させた状態で印刷済み付箋紙４ｈを保持する。この付箋紙保持部を設けたことで、印刷済み付箋紙４ｈの落下による裏面糊付け部４ｊ（粘着剤）へのゴミ付着を防止することができ、またユーザは、糊付け部４ｊに触れることなく付箋紙４ｈを先端側から把持して、付箋紙排出口６から取り出し、紙などの被着体に容易に貼り付けることができる。
【００５４】
次に、付箋紙供給機構１３について、図２、図４および図９を参照して説明する。付箋紙供給機構１３は、駆動源となる駆動モータ５１と、上記のピックアップローラ５２（摩擦ローラ）と、駆動モータ５１からピックアップローラ５２に回転動力を伝達する減速ギヤ列５３と、ピックアップローラ５２を回転自在に保持しこれを上下動させるピックアップユニット５４と、を備えている。
【００５５】
駆動モータ５１は、整流子型のＤＣモータで構成され、モータ収納ケース５６に保持されてメインフレーム１４の後部に支持されている。駆動モータ５１の出力軸には、ウォームギヤ５７と、ウォームギヤ５７の先端側に位置してパルス円板５８が固定されている。一方、モータ収納ケース５６の上部には、パルス円板５８に臨むフォトインタラプタ５９が組み込まれている。フォトインタラプタ５９とパルス円板５８とでエンコーダが構成され、このエンコーダの検出するパルス信号に基づいて、サーマルヘッド２８の発熱駆動を制御している。
【００５６】
ピックアップローラ５２は、上側から付箋紙束４の先端側（自由端側）に臨んでおり、両端部をピックアップユニット５４に支持されるローラ軸６１と、ローラ軸６１に回転自在に装着され付箋紙４ｈに直接接触するローラ本体６２と、ローラ本体６２と一体回転するローラギヤ６３と、で構成されている。ローラ軸６１は、サーマルヘッド２８と平行に延在し、ピックアップユニット５４に両持ちで支持されている。ローラ本体６２は、ローラ軸６１の一方の半部に寄せて配設され、ローラ軸６１に回転自在に装着した樹脂性のコア部６４と、コア部６４の外周面に巻装したゴムロール６５とで構成されている。
【００５７】
ゴムロール６５は、シリコンゴムなどの耐熱性を有する高摩擦材料で構成されており、ピックアップローラ５２は、付箋紙４ｈに転接してこれを捲り上げる機能と、サーマルヘッド２８と協働するプラテンローラの機能とを併せ持っている。ローラギヤ６３は、ローラ本体６２のコア部６４に隣接し、これと一体に形成されている。ピックアップローラ５２は、このローラギヤ６３が減速ギヤ列５３を介して回転動力を伝達されることで、図２示において反時計周り方向に回転駆動する。
【００５８】
減速ギヤ列５３は、駆動モータ５１側のウォームギヤ５７に噛合する小伝達ギヤ６６（ウォームホイールと小平歯車）と、小伝達ギヤ６６に噛合する中伝達ギヤ６７と、中伝達ギヤ６７に噛合する大きな入力ギヤ６８とで構成され、これら各ギヤのピン軸は、メインフレーム１４に片持ちで固定されている。入力ギヤ６８には、ピックアップローラ５２のローラギヤ６３が噛み合っており、駆動モータ５１の動力は、ウォームギヤ５７、小伝達ギヤ６６、中伝達ギヤ６７、入力ギヤ６８の順で伝達され、ローラギヤ６３を介してピックアップローラ５２を回転させる。
【００５９】
入力ギヤ６８のメインフレーム１４側の端面には、環状の端面カム溝８０が形成されており、端面カム溝８０との間で端面カム機構を構成するカムリンク部材５５が、入力ギヤ６８に重なるように配設されている（図９参照）。端面カム機構は、入力ギヤ６８の回転動作を、カムリンク部材５５を介してピックアップユニット５４の回動動作に変換するものである（詳細は後述する）。
【００６０】
ピックアップユニット５４は、先端部にピックアップローラ５２を回転自在に両持ちで保持すると共に、基端部を中心に回動自在に構成された一対の回動アーム７０と、ピックアップローラ５２を逃げて一対の回動アーム７０の先端部を一体に連結する連結アーム７１とで、逆「Ｕ」字状に構成されている。一対の回動アーム７０は、メインフレーム１４に回動自在に支持されたピックアップアーム７２と、サブフレーム１５に回動自在に支持された支持補助アーム７３とで構成されている。
【００６１】
支持補助アーム７３は、基端部をサブフレーム１５の連結板部１６の上端軸部１９に回転自在に軸支されている。一方、ピックアップアーム７２は、基端部を入力ギヤ６８のピン軸を介してメインフレーム１４に回転自在に軸支されている。すなわち、ピックアップアーム７２は、入力ギヤ６８を軸支する共有のピン軸に基端部を回転自在に軸支されている。なお、このピン軸とサブフレーム１５の上端軸部１９とは、ピックアップローラ５２に平行に且つ同一軸線上に配設されている。
【００６２】
支持補助アーム７３およびピックアップアーム７２には、ピックアップローラ５２のローラ軸６１の両端部を支持する先端部に、上下方向（回動方向）に僅かに長孔状の軸受部７４が形成されていると共に（図７参照）、各アームとローラ軸６１との間には、ローラ軸６１（ピックアップローラ５２）を上方に付勢する支持ばね７５が介設されている。したがって、ピックアップローラ５２は、ピックアップユニット５４に対し相対的に僅かに移動自在に支持され、これによりサーマルヘッド２８を突当て方向に弾性的に押圧することができるようになっている。
【００６３】
また、ピックアップアーム７２には、延在方向の中間部から係合ピン７６（入力部）が外側に突出しており、この係合ピン７６がカムリンク部材５５のアーム係合部９４に係合している（図９参照）。これにより、ピックアップアーム７２は、カムリンク部材５５が作動することで、係合ピン７６がアーム係合部９４内を相対的に摺動して、回転方向に動力を伝達されて回動動作することとなる。そして、ピックアップアーム７２が回動すると、連結アーム７１を介して、支持補助アーム７３も追従して同方向に回動する。すなわち、ピックアップアーム７２が、基端部を支点とし且つ係合ピン７６を力点として回動動作すると、ピックアップローラ５２が、平行水平姿勢を保って回動動作、すなわち上下動することとなる。
【００６４】
このとき、ピックアップローラ５２は、ローラギヤ６３と入力ギヤ６８との噛合状態を維持する駆動回転状態のまま移動することとなる。すなわち、ピックアップローラ５２は、ローラギヤ６３が入力ギヤ６８に対し衛星歯車的に機能（入力ギヤ６８が太陽ギヤに、ローラギヤ６３が衛星ギヤに、ピックアップアーム７２がキャリアに対応）して、入力ギヤ６８（ピックアップアーム７２）のピン軸を中心として、駆動回転を維持しながらほぼ上下方向に円運動することとなる。そして、ピックアップローラ５２の円運動は、端面カム機構により、往復の回動動作となるように規制されている。
【００６５】
すなわち、ピックアップローラ５２は、印刷待機状態における付箋紙束４上の付箋紙４ｈの表面に転接する転接位置と、付箋紙束４から離間しサーマルヘッド２８に当接する印刷位置との間を、適宜、移動するように構成されている。より具体的には、ピックアップローラ５２は、下動端位置である転接位置において付箋紙４ｈの捲り上げ動作を行い、続いて端面カム機構により上動し、その上動端位置である印刷位置において、付箋紙４ｈをサーマルヘッド２８に押し付けると同時に印刷送りする。またそのとき、ローラギヤ６３が巻取中間ギヤ４３に噛合し、ピックアップローラ５２とサーマルヘッド２８との間に挟まれた付箋紙４ｈおよびインクリボンＲは、印刷のために併走する。なお、ピックアップローラ５２（ローラギヤ６３）は、入力ギヤ６８から回転動力を受け、上下動する際にも回転を続行している（但し、衛星ギヤとして幾分減速される）。
【００６６】
カムリンク部材５５は、ピックアップアーム７２の基端側を入力ギヤ６８との間で挟み込むようにして配設され、主要部を為すと共に長穴のアーム係合部９４を貫通形成したドーナツ状のリンク本体９０と、リンク本体９０の前面側に凸設して入力ギヤ６８の端面カム溝８０に係合する案内ピン９１とで構成されている。リンク本体９０は、中央部に貫通形成した本体挿通穴９２に、入力ギヤ６８のピン軸が十分な遊びをもって挿通され、右下端部（図９示では、左下端部）をメインフレーム１４に突設した回動支軸９３に回転自在に軸支されている。
【００６７】
アーム係合部９４には、ピックアップアーム７２の係合ピン７６が遊びをもって係合している。これにより、係合ピン７６が長穴内を無理なく微小移動し、ピックアップアーム７２への力の伝達を円滑に行えるようになっている。一方、案内ピン９１は、端面カム溝８０内を摺動可能に構成されたいわゆるカムフォロアであり、端面カム溝８０との間で上記の端面カム機構を構成している。
【００６８】
端面カム機構は、カムリンク部材５５に対し、リンク本体９０の右下端部（回動支軸９３）を支点として、案内ピン９１に力点を構成させると共にアーム係合部９４に作用点を構成させて、入力ギヤ６８の回転力を、カムリンク部材５５を介してピックアップアーム７２の回動動作に変換して伝達している。端面カム溝８０は、図１０に示すように、内径円弧溝部８１（転接溝部）と、外径円弧溝部８２（印刷溝部）と、これら内径円弧溝部８１および外形円弧溝部８２を結ぶ２つの移動溝部とで環状に連続させて形成されている（なお、図示では移動溝部の符号は省略）。
【００６９】
端面カム機構は、案内ピン９１が内径円弧溝部８１内を相対的に摺動するときには、アーム係合部９４の内側方向にピックアップアーム７２の係合ピン７６を引き付けて、ピックアップローラ５２を転接位置に臨ませる。一方、案内ピン９１が外径円弧溝部８２内を相対的に摺動するときには、アーム係合部９４の外側方向に係合ピン７６を引き付けて、ピックアップローラ５２を印刷位置に臨ませる。すなわち、端面カム溝８０を有する入力ギヤ６８の一回転で、ピックアップアーム７２に一の往復回動動作を行わせ、ピックアップローラ５２に転接位置と印刷位置との間で一の上下動作を行わせている。なお、後述するように、端面カム溝８０からなるカム曲線は、ピックアップローラ５２を付箋紙４ｈに対して離接移動させるタイミング、およびピックアップローラ５２を印刷位置から転接位置に移行させるタイミングが、２つの移動溝部により巧みに保たれて形成されている。
【００７０】
ここで、ピックアップローラ５２の一連の動作について図１１を参照して簡単に説明する。印刷待機状態において、ピックアップローラ５２は、転接位置にあり、付箋紙ホルダ１１にセットされた付箋紙束４の最上位の付箋紙４ｈの表面に転接している（同図（ａ））。駆動モータ５１の駆動回転により、ピックアップローラ５２は、駆動回転し始めて付箋紙捲り上げ動作を開始する。ピックアップローラ５２が回転すると、最上位の付箋紙４ｈ（の自由端側）のみ、先端側の位置規制部２６から引き出され、その長手方向の中間部が次第に上方へと湾曲するように撓んでゆく（同図（ｂ））。
【００７１】
捲り上がってゆく付箋紙４ｈの先端がピックアップローラ５２の下側を通過した直後に、ピックアップローラ５２を回転させながら上動させ、付箋紙束４から離間させると、付箋紙４ｈは、ピックアップローラ５２の回転力により、その上側に撥ね上げられ、ピックアップローラ５２に乗り上げる（同図（ｃ））。すなわち、付箋紙４ｈは、一旦撓んでから先端から撥ね上げられ、その先端部がピックアップローラ５２の上側に回り込んでこれに載ることとなる。
【００７２】
この捲り上げ動作の際に、ピックアップローラ５２は、最上位の付箋紙４ｈにのみしか転接しないように、すなわち付箋紙４ｈの先端を撥ね上げる直前に移動するようにしている。より厳密には、回転するピックアップローラ５２の下側を、撓んでゆく付箋紙４ｈの先端が通過し、その先端がピックアップローラ５２の周面に引っかかったところで、ピックアップローラ５２を移動させる。このようなピックアップローラ５２の移動タイミングを端面カム機構で調整しているため、付箋紙４ｈを捲り上げると同時にその直下の付箋紙をも重ねて捲ることがないようになっている。
【００７３】
付箋紙４ｈを載せたピックアップローラ５２は、続いて印刷位置に上動（自転および公転しながら上動）し（同図（ｄ））、サーマルヘッド２８およびガイドローラ３２との間に付箋紙４ｈを挟持するようにこれらに接触する。同時に、ローラギヤ６３を介して付箋紙印刷機構１２に動力が入力する（同図（ｅ））。そして、ピックアップローラ５２は、大きく傾動した付箋紙４ｈを、その糊付け部分４ｊから引き剥がすように先方に送り出してゆくと同時に（同図（ｆ））、サーマルヘッド２８と協働して印刷を行う。なお、付箋紙４ｈが糊付け部分４ｊから引き剥がされるときには、付箋紙４ｈの尾端側は位置規制部２６から幾分引き出されるが（同図（ｇ））、引き剥がしが完了すると元の位置に復帰する。
【００７４】
印刷途中で完全に引き剥がされた付箋紙４ｈは、さらにピックアップローラ５２およびガイドローラ３２により、その印刷済み部分から付箋紙排出口６に向かって送り出されてゆく。印刷を完了した付箋紙４ｈが付箋紙排出口６から外部に送り出されると、次のタイミングでピックアップローラ５２は、印刷位置から退避して転接位置に戻る（同図（ｈ））。このとき、ピックアップローラ５２が付箋紙印刷機構１２から離間するため、歯車連結が解除されインクリボンＲの走行も停止する。
【００７５】
このように、本実施形態の付箋紙プリンタ１によれば、ピックアップローラ５２の一連の回転駆動により、セットした付箋紙束４から付箋紙４ｈを一枚ずつ適切に捲り上げ、引き剥がしながら送ると共に、印刷を行い、その後、プリンタ外に排出することができる。これにより、所望の印刷データを印刷した付箋紙４ｈを、簡単に作成することができる。
【００７６】
なお、ピックアップローラ５２による付箋紙４ｈの重ね捲りを防止するため、ピックアップローラ５２を、転接する付箋紙４ｈが僅かに撓んだ直後に、端面カム機構を調整することで、付箋紙束４に対しその糊付け部４ｊ側に向かって移動させながら離間させてもよい。あるいは、ピックアップローラ５２が付箋紙４ｈを撥ね上げた直後に、駆動モータ５１の駆動を停止させ、ピックアップローラ５２の回転を一旦停止させるようにしてもよい。
【００７７】
また、図１２に示すように、ピックアップローラ５２を付箋紙束４の先端側に配置するのに代え、その長手方向の中間位置に配置してもよい。この場合には、転接位置でピックアップローラ５２が回転すると、最上位の付箋紙４ｈは、次の付箋紙との間ですべりを生じながら、糊付け部４ｊに向かって大きく湾曲して撓んでゆく。すなわち、付箋紙４ｈは、略「Ω」字状に撓み、この撓みに基づいてピックアップローラ５２に突っ張るように接触する。そして、この状態で（「Ω」字状に撓んだ直後に）、ピックアップローラ５２を上動させることで、付箋紙４ｈを確実に捲り上げることができる。
【００７８】
なお、付箋紙印刷機構１２に設けたガイドローラ３２は、ピックアップローラ５２とサーマルヘッド２８との間で、付箋紙４ｈを引き剥がして送り出すことができる十分な摩擦力を奏させることで省略してもよい。また、本実施形態の付箋紙束４に代え、付箋紙４ｈの基端側の端面のみを糊付けして積層した形式の付箋紙束であってもよい。さらに、付箋紙４ｈを感熱式のものとして構成し、リボンカートリッジ８を不要とする構成にしてもよい。また、本実施形態の付箋紙プリンタ１は、部分糊付けがなされていない一般的な用紙を積層した用紙束を、印刷対象物とすることができるのは、いうまでもない。
【００７９】
次に、付箋紙プリンタ１とパソコンＰＣとからなる付箋紙印刷システムについて、図１３ないし図１５を参照して説明する。パソコンＰＣは、データを入力可能なキーボード１００と、キーボード１００により入力されたデータを表示するモニター１０１と、モニター１０１に表示されたデータを指定・選択するマウス１０２とを備えており、ＣＤ−ＲＯＭ１０３等の外部記録媒体を挿入可能に構成されている。そして、ＵＳＢ等で入出力端子間をパソコンＰＣと接続した付箋紙プリンタ１は、パソコンＰＣでモニター１０１を参照しながらキーボード１００で入力・編集して作成する印刷データに対し、あるいはインターネット情報やＥメールの内容等の既存の作成済み印刷データに対し、マウス１０２により印刷領域を指定・選択して、印刷指令を出すことで、指定・選択した印刷データを付箋紙４ｈに印刷し、印刷済み付箋紙４ｈを作成する。
【００８０】
パソコンＰＣの主制御部は、図１４に示すように、各種の制御を行うＣＰＵ１１０と、ＲＯＭ１１１と、ＲＡＭ１１２と、外部記録媒体としてのＣＤ−ＲＯＭ１０３と、Ｐ−ＣＯＮ１１３とを備えており、これらは互いにバス１１４を介して接続されている。ＲＯＭ１１１は、ＣＰＵ１１０で処理する制御プログラムや制御データを記憶する領域を有している。ＲＡＭ１１２は、制御処理のための各種作業領域として使用される。また、ＣＤ−ＲＯＭ１０３には、付箋紙プリンタ１に関するアプリケーションソフトやデバイスドライバ等のデータが記憶されている。
【００８１】
Ｐ−ＣＯＮ１１３には、ＣＰＵ１１０の機能を補うと共に周辺回路との信号を取り扱うための論理回路が組み込まれており、キーボード１００、モニター１０１、およびマウス１０２などがドライバを介して接続され、さらに付箋紙プリンタ１が接続されている。付箋紙プリンタ１との関係において、ＣＰＵ１１０は、ＣＤ−ＲＯＭ１０３内の付箋紙印刷のためのプログラムに従って、Ｐ−ＣＯＮ１１３を介して各種検出信号、各種指令、各種データ等を入力し、ＲＯＭ１１１およびＲＡＭ１１２内の各種データ等を処理し、Ｐ−ＣＯＮ１１３を介して付箋紙プリンタ１に制御信号を出力する。すなわち、このパソコンＰＣからの制御信号により、付箋紙プリンタ１では、サーマルヘッド２８および駆動モータ５１が制御される。
【００８２】
具体的には、この付箋紙プリンタ１をユーザがパソコンＰＣと通信接続して使用する場合、図１５に示すように、モニター１０１の画面上に表示されたテキスト１２０ａあるいはオブジェクト１２０ｂからなる印刷データ１２０のうち印刷したい必要な領域を、マウス１０２により選択すると共に、これをドラッグしてモニター１０１の画面上に予め設定したアイコン１２１にドロップする。すると、付箋紙４ｈへの印刷が指示され、付箋紙４ｈに熱転写による印刷が行われ、所望の印刷済み付箋紙４ｈが付箋紙排出口６から排出される。なお、パソコンＰＣでは、付箋紙プリンタ１におけるリボンカートリッジ８の有無、付箋紙束４の有無および種類の検出結果をモニター１０１で確認できるようになっている。
【００８３】
次に、その他の複数の実施形態に係る付箋紙ホルダ１１について説明する。以下に示す複数の実施形態に係る付箋紙ホルダ１１は、上記実施形態が最小幅および最大幅の２種類の付箋紙束（４ａ、４ｄ）を対象とするのに対し、この間の中間幅（４ｂ、４ｃ）のものにも対応するべくサブステージ２５を長さ方向に複数分割したものである。なお、以下の説明において、複数種の付箋紙の幅を幅狭の順にＡ，Ｂ，ＣおよびＤとし、メインステージ２４は最小幅Ａに対応する支持幅を有し、メインステージ２４とサブステージ２５とを併せたものは最大幅Ｄに対応する支持幅を有している。
【００８４】
先ず、図１６を参照して、第２実施形態に係る付箋紙ホルダ１１について説明する。本実施形態では、奥側（メインフレーム１４側）からメインステージ２４およびサブステージ２５を配設すると共に、メインステージ２４のホルダ本体２１に内接する側端面を支持幅の基準位置としている。メインステージ２４は、最小幅以外の幅の付箋紙束（４ｂ、４ｃ、４ｄ）に対応する支持幅内において、これを重複して支持する。サブステージ２５は、Ｂ幅およびＣ幅の付箋紙束（４ｂ、４ｃ）に対応するように、基準位置からの長さがＢおよびＣとなる位置で長さ方向に３分割されていて、メインステージ２４側から第１ステージ１４１、第２ステージ１４２、および第３ステージ１４３として相互に隣接させて構成されている。
【００８５】
これにより、メインステージ２４に隣接する第１ステージ１４１は、メインステージ２４の支持幅と併せてＢ幅の付箋紙４ｂに対応する支持幅を有している。同様に、第２ステージ１４２は、メインステージ２４および第１ステージ１４１の支持幅と併せてＣ幅の付箋紙４ｃに対応する支持幅を有している。また、第３ステージ１４３は、第１ステージ１４１との間に第２ステージ１４２を挟み且つホルダ本体２１に内接して配設され、メインステージ２４およびその他の各ステージ１４１，１４２と併せて最大幅Ｄに対応する支持幅を有している。そして、第１ステージ１４１、第２ステージ１４２および第３ステージ１４３の下面の前後には、それぞれサブ加圧ばね２３ｂが配設されている。
【００８６】
サブ加圧ばね２３ｂは、サブステージ２５の分割数の分だけ個別に設けられており、第１ステージ１４１に対応した第１サブ加圧ばね１４４と、第２ステージ１４２に対応した第２サブ加圧ばね１４５と、第３ステージ１４３に対応した第３サブ加圧ばね１４６とで構成されている。これら各サブ加圧ばね２３ｂは、メイン加圧ばね２３ａと共に蓋体２２に一体に支持されている。そして、サブステージ２５の各ステージ１４１，１４２，１４３は、対応する各サブ加圧ばね１４４，１４５，１４６により独立して位置規制部２６に向かって付勢され、個別に上下動自在になっている。
【００８７】
したがって、同図に表すように、最小幅Ａの付箋紙束４ａをセットした場合には、この付箋紙束４ａは、メインステージ２４のみに下側から支持され、第１ステージ１４１のメインステージ２４側の側端面により幅方向ガイドを構成される（同図（ｃ））。また、Ｂ幅の付箋紙束４ｂでは、メインステージ２４および第１ステージ１４１に亘って下側から支持され、このとき、第２ステージ１４２のメインステージ２４側の側端面が幅方向ガイドを構成する（同図（ｄ））。
【００８８】
同様に、Ｃ幅の付箋紙束４ｃでは、メインステージ２４、第１ステージ１４１および第２ステージ１４２に亘って下側から支持され、このとき第３ステージ１４３のメインステージ２４側の側端面が幅方向ガイドを構成する（同図（ｅ））。そして、最大幅Ｄの付箋紙束４ｄでは、メインステージ２４および第１ないし第３ステージ１４１，１４２，１４３の全ステージ領域に亘って下側から支持され、ホルダ本体２１のみで幅方向ガイドを構成される（同図（ｆ））。
【００８９】
このように、本実施形態の付箋紙ホルダ１１によれば、メインステージ２４を基準幅としてサブステージ２５を複数分割しているため、複数種の付箋紙束４に対し適切に対応することができる。また、各種の付箋紙束４をセットする際に、ホルダ本体２１の端面を利用することができ、ユーザの付箋紙束４の取扱性を向上させることができる。なおこの場合も、図６に表したように、各サブステージ２５（第１ステージ１４１、第２ステージ１４２および第３ステージ１４３）のメインステージ２４側の側端面の丈を、付箋紙束４の厚みに対し大きく構成することが好ましい。
【００９０】
次に、図１７を参照して、第３実施形態に係る付箋紙ホルダ１１について説明する。本実施形態では、メインステージ２４は、ホルダ本体２１の左右方向（幅方向）の中間位置に配設され、サブステージ２５は、メインステージ２４の左側に隣接する左ステージ１５０と、メインステージ２４の右側に隣接する右ステージ１５１とから構成されている。
【００９１】
本実施形態でも、メインステージ２４は、最小幅以外の幅の付箋紙束（４ｂ、４ｃ、４ｄ）に対応する支持幅内において、これを重複して支持する。左ステージ１５０および右ステージ１５１は、同一のサイズからなり、メインステージ２４の幅方向の中心位置に対し左右対称となるように複数分割（図示では３分割）されていて、対称関係を構成する双方の分割ステージがメインステージ２４と併さって一の付箋紙幅４に対応するように構成されている。
【００９２】
すなわち、左ステージ１５０は、メインステージ２４の中心線を支持幅の基準位置とし、基準位置からの長さがＢの半分およびＣの半分となる位置で長さ方向に３分割されていて、メインステージ２４側から左第１ステージ１６１、左第２ステージ１６２、および左第３ステージ１６３として相互に隣接させて構成されている。同様に、右ステージ１５１は、メインステージ２４の中心線を支持幅の基準位置とし、基準位置からの長さがＢの半分およびＣの半分となる位置で長さ方向に３分割されていて、メインステージ２４側から右第１ステージ１７１、右第２ステージ１７２、および右第３ステージ１７３として相互に隣接させて構成されている。
【００９３】
これにより、メインステージ２４に隣接する左第１ステージ１６１および右第１ステージ１７１は、メインステージ２４の支持幅と併せてＢ幅の付箋紙４ｂに対応する支持幅を有している。同様に、左第２ステージ１６２および右第２ステージ１７２は、メインステージ２４および左右両第１ステージ１６１，１７１の支持幅と併せてＣ幅の付箋紙４ｃに対応する支持幅を有している。また、左第３ステージ１６３および右第３ステージ１７３は、左右各第１ステージ１６１，１７１との間に左右各第２ステージ１６２，１７２を挟み且つ外側の側端面がホルダ本体２１に内接して配設され、メインステージ２４およびその他の各ステージ１６１，１６２，１７１，１７２と併せて最大幅Ｄに対応する支持幅を有している。
【００９４】
一方、サブ加圧ばね２３ｂは、上記実施形態と同様に、サブステージ２５の分割数の分だけ個別に設けられており、左右各ステージ１５０，１５１に対応してその下面の前後に配設され、メイン加圧ばね２３ａと共に蓋体２２に一体に支持されている。このため、サブステージ２５の各ステージは、対応する各サブ加圧ばね２３ｂにより独立して位置規制部２６に向かって付勢され、個別に上下動自在になっている。
【００９５】
したがって、同図に表すように、最小幅Ａの付箋紙束４ａをセットした場合には、この付箋紙束４ａは、中央のメインステージ２４のみに下側から支持され、左右各第１ステージ１６１，１７１のメインステージ２４側の側端面により幅方向ガイドを構成される（同図（ｃ））。また、Ｂ幅の付箋紙束４ｂでは、メインステージ２４および左右両第１ステージ１６１，１７１にこれらに亘って下側から支持され、このとき、左右各第２ステージ１６２，１７２のメインステージ２４側の側端面が幅方向ガイドを構成する（同図（ｄ））。
【００９６】
同様に、Ｃ幅の付箋紙束４ｃでは、メインステージ２４、左右各第１ステージ１６１，１７１および左右各第２ステージ１６２，１７２に亘ってこれらに下側から支持され、このとき左右各第３ステージ１６３，１７３のメインステージ２４側の側端面が幅方向ガイドを構成する（同図（ｅ））。そして、最大幅Ｄの付箋紙束４ｄでは、メインステージ２４およびサブステージ２５（左右第１ないし第３ステージ）の全ステージ領域に亘ってこれらに下側から支持され、ホルダ本体２１が幅方向ガイドを構成する（同図（ｆ））。
【００９７】
このように、本実施形態の付箋紙ホルダ１１によれば、メインステージ２４を基準幅としてサブステージ２５を複数分割しているため、複数種の付箋紙束４に適切に対応することができる。また、複数種の付箋紙束４をそれぞれホルダ本体２１の中央位置に常に配置することができる。さらに、付箋紙印刷機構１２との関係において、サーマルヘッド２８のヘッド中心位置（発熱素子の列設方向の中間位置）と、各種幅の付箋紙４ｈのセンター位置とを合致させることもできるようになる。
【００９８】
なおこの場合も、左右各第１ステージ１６１，１７１、左右各第２ステージ１６２，１７２および左右各第３ステージ１６３，１７３のメインステージ２４側の側端面の丈を、付箋紙束４の厚みに対し大きく構成するとよい。
【００９９】
次に、図１８を参照して、第４実施形態に係る付箋紙ホルダ１１について説明する。本実施形態では、メインステージ２４が最大幅の付箋紙束４ｄのみを重複して支持するものであり、最小幅および最大幅以外の幅の付箋紙束を（４ｂ、４ｃ）、メインステージ２４に亘ることなく複数分割したサブステージ２５で支持するものである。すなわち、サブステージ２５は、複数の各中間幅の付箋紙に対応する支持幅をそれぞれ有するように複数分割され、その全幅は各中間幅の合計幅となっている。したがって、この場合、最小幅および各中間幅の合計幅が最大幅となっており、最大幅の付箋紙束４ｄのみが、メインステージ２４およびサブステージ２５の全ステージに亘って支持されることとなる。
【０１００】
同図に表すように、サブステージ２５は、Ｂ＋Ｃの長さを全幅とすると共に、メインステージ２４に隣接するＢ幅の第１ステージ１８０と、第１ステージ１８０に隣接するＣ幅の第２ステージ１８１とに２分割されている。これにより、第１ステージ１８０はＢ幅の付箋紙４ｂに対応する支持幅を有し、第２ステージ１８１はＣ幅の付箋紙４ｃに対応する支持幅を有している。また、最小幅Ａに対応する支持幅を構成するメインステージ２４は、これら第１ステージ１８０および第２ステージ１８１と併せて最大幅Ｄに対応する支持幅を有している。
【０１０１】
そして、上記実施形態と同様に、サブ加圧ばね２３ｂが、サブステージ２５の分割数の分だけ個別に設けられて、メイン加圧ばね２３ａと共に蓋体２２に一体に支持されている。このため、第１ステージ１８０および第２ステージ１８１は、対応する各サブ加圧ばね２３ｂにより独立して位置規制部２６に向かって付勢され、個別に上下動自在になっている。
【０１０２】
したがって、最小幅Ａの付箋紙束４ａをセットした場合には、この付箋紙束４ａは、メインステージ２４のみに下側から支持され、第１ステージ１８０のメインステージ２４側の側端面により幅方向ガイドを構成される（同図（ｃ））。また、Ｂ幅の付箋紙束４ｂでは、第１ステージ１８０のみに下側から支持され、メインステージ２４および第２ステージ１８１のそれぞれの第１ステージ１８０側の側端面により幅方向ガイドを構成される（同図（ｄ））。
【０１０３】
また、Ｃ幅の付箋紙束４ｃでは、第２ステージ１８１のみに下側から支持され、このとき第１ステージ１８０の第２ステージ１８１側の側端面が幅方向ガイドを構成する（同図（ｅ））。そして、最大幅Ｄの付箋紙束４ｄでは、メインステージ２４、第１ステージ１８０および第２ステージ１８１の全領域に亘って下側から支持され、ホルダ本体２１のみで幅方向ガイドを構成される（同図（ｆ））。
【０１０４】
このように、本実施形態の付箋紙ホルダ１１によれば、メインステージ２４を最小幅対応とし、サブステージ２５を中間幅対応のものとして複数分割しているため、中間幅の付箋紙束４を適切に保持することができる。もっとも、付箋紙プリンタ１においては、中間幅の付箋紙束４に対応するために、上記の付箋紙印刷機構１２や付箋紙供給機構１３との関係を考慮する必要がある。この場合例えば、付箋紙幅に応じてサーマルヘッド２８の発熱素子の発熱駆動を制御することが考えられる。
【０１０５】
なお、サブステージ２５の各分割ステージ（１８０，１８１）の両側端面の丈に加え、メインステージ２４のサブステージ２５側の側端面の丈も、付箋紙束４の厚み対し大きく構成することが好ましい。また、本実施形態の付箋紙ホルダ１１のみを付箋紙プリンタ１とは別に抽出すると、本付箋紙ホルダ１１は、幅の異なる複数種の付箋紙束４を、それぞれ対応するステージ（２４，１８０，１８１）に同時にセットすることができる。すなわち、幅の異なるいくつかの付箋紙束４を一括して保持しておくことができる。
【０１０６】
次に、図１９を参照して、第５実施形態に係る付箋紙ホルダ１１について説明する。本実施形態では、複数分割された各サブステージ２５は、サブステージ本体１９０と、メインステージ２４側のガイド部材１９１とで構成され、このガイド部材１９１がサブステージ本体１９０を上下方向にスライド自在にガイドすると共に、セットした付箋紙束４の幅方向ガイドを行っている。
【０１０７】
サブステージ本体１９０は、メインステージ２４と同様に方形に形成され、主として付箋紙束４の支持幅を有し、上記のサブ加圧ばね２３ｂ（ステージ用付勢部材）により位置規制部２６に向かって付勢されている。一方、ガイド部材１９１は、逆「Ｔ」字状の断面形状からなり、付勢部材２３であるガイド加圧ばね１９５（ガイド用付勢部材）を介して蓋体２２に一体に取り付けられると共に、位置規制部２６に向かって付勢されている。なお、ここでは、第２実施形態に係る付箋紙ホルダ１１を例に説明する。
【０１０８】
各ガイド部材１９１は、左右方向（幅方向）に所定の長さを有する水平片部１９２と、水平片部１９２の幅方向の中間位置から立ち上げた鉛直片部１９３とで一体に構成され、鉛直片部１９３が隣接する双方のステージ（双方ともサブステージ本体１９０或いは一方がメインステージ２４）の側端面に当接している。鉛直片部１９３は、各ステージ２４，２５の厚みより上下方向に長く延在し、その上端面が位置規制部２６に下側から当接可能に構成されている。
【０１０９】
水平片部１９２は、各ステージ２４，１９０の下側にて隣接する双方のステージ側へと突出し、その上面が隣接する双方のステージ２４，１９０に下側から当接可能に構成されている。また、水平片部１９２の下面には、メインステージ２４とメイン加圧ばね２３ａとの関係のように、一対のガイド加圧ばね１９５が前後に配設されている。
【０１１０】
ガイド加圧ばね１９５は、ガイド部材１９１の個数分設けられており、メイン加圧ばね２３ａと共に蓋体２２に一体に支持されている。これにより、各ガイド部材１９１は、メインステージ２４等と同様に、蓋体２２を受けとして上方にバランスよく付勢されると共に、対応するガイド加圧ばね１９５により個別に上下動自在になっている。したがって、同図（ｂ）に表すように、ホルダ本体２１内に付箋紙束４をセットしていない状態では、各ガイド部材１９１は、各ステージ２４，１９０と水平片部１９２との間に空隙を存して、各ガイド加圧ばね１９５により均一な力で位置規制部２６に押し付けられた状態となる。
【０１１１】
一方、同図（ｃ）に表すように、最小幅Ａの付箋紙束４ａをメインステージ２４にセットした場合には、メインステージ２４に隣接するガイド部材１９１は、ガイド加圧ばね１９５に抗してメインステージ２４の下面により押し下げられ、メインステージ２４から上方に突出する鉛直片部１９３が付箋紙束４の幅方向ガイドを構成する。もっとも、このとき、その他のガイド部材１９１は、付箋紙束４ａを支持しないサブステージ２５（サブステージ本体１９０）と同様に位置規制部２６に押し付けられた状態を維持する。
【０１１２】
なお、同図（ｂ）に仮想線で表すように、蓋体２２をホルダ本体２１から取り外して自由状態にあるガイド部材１９１は、鉛直片部１９３の上端がサブステージ本体１９０の載置面から僅かに突出するようになっている。このため、特に最小幅Ａの付箋紙束４ａをセットする場合には幅方向の位置決めとして有効に作用する。
【０１１３】
また、同図（ｄ）に表すように、メインステージ２４および第１ステージ１９０に亘って支持されるＢ幅の付箋紙束４ｂをセットした場合には、Ｂ幅の付箋紙束４ｂがメインステージ２４および第１ステージ１９０と共にこれらの間に位置するガイド部材１９１に上側から当接しこれを押し下げる。すなわち、メインステージ２４に隣接するガイド部材１９１は、ガイド加圧ばね１９５に抗して付箋紙束４ｂの底面により押し下げられ、その鉛直片部１９３の上端面がメインステージ２４および第１ステージ１９０の載置面と面一になる。一方、第１ステージ１９０に隣接するガイド部材１９１が、上記と同様に、付箋紙束４ｂの幅方向ガイドを構成する。
【０１１４】
このように、本実施形態の付箋紙ホルダ１１によれば、各ステージ間に位置する各ガイド部材１９１が、付箋紙の幅に応じて選択的に上下動して、幅の異なる複数種の付箋紙束４の幅方向ガイドを適切になすことができる。また、厚みの薄い付箋紙束４に対しても、ガイド部材１９１が幅方向ガイドとして有効に作用させることができる。
【０１１５】
次に、付箋紙供給機構１３の他の実施形態について、図２０を参照して説明する。本実施形態では、ピックアップローラ５２は、上下動自在に構成されているが、プラテンローラを兼ねるものでなく、主として、付箋紙４ｈに対し捲り上げ、引き剥がし、および送りを行い、別に設けたプラテンローラ１３２に付箋紙４ｈを送り渡す構成としたものである。以下、第１実施形態との相違点を中心に説明するが、符号は第１実施形態とできるだけ共通としている。
【０１１６】
ピックアップローラ５２は、付箋紙束４の先端側に配設され、ローラ本体６２のゴムロール６５が付箋紙４ｈに転接していると共に、ローラ本体６２の端部に形成したローラギヤ６３が入力ギヤ６８に噛合している。入力ギヤ６８は、先端部にピックアップローラ５２を回転自在に保持し且つ上下動させるピックアップアーム７２の回動軸を同軸としていると共に、略「Ｌ」字状のカムリンク部材５５との間で端面カム機構を構成している。端面カム機構は、入力ギヤ６８の端面カム溝８０と、端面カム溝８０に係合するカムリンク部材５５の案内ピン９１とで構成され、カムリンク部材５５を介して入力ギヤ６８の回転動作をピックアップアーム７２の回動運動に変換している。
【０１１７】
すなわち、カムリンク部材５５の「Ｌ」字の先端部に貫通形成したアーム係合部９４が、ピックアップアーム７２の基端部に形成した係合ピン７６を相対的に摺動させて、ピックアップアーム７２を端面カム機構に従って回動動作させる。これにより、ピックアップローラ５２は、付箋紙束４上の最上位の付箋紙４ｈに転接する転接位置と、転接位置の上側であって付箋紙印刷機構１２との間に設けた受動ローラ１３０に当接する挟持位置との間で、付箋紙束４に対して離接移動する。
【０１１８】
受動ローラ１３０は、ゴムなどの摩擦材料で構成され、ピックアップローラ５２と平行に回転自在にプリンタフレーム１０（図示省略）に片持ちで軸支されている。受動ローラ１３０は、自由回転可能に構成され、上動して挟持位置にあるピックアップローラ５２の駆動回転を受けて従動回転するようになっている。これにより、ピックアップローラ５２により捲り上げられてこれに乗り上げた付箋紙４ｈは、挟持位置においてピックアップローラ５２と受動ローラ１３０とに挟持された状態で回転送りされ、糊付け部分４ｊから引き剥がされてゆく。
【０１１９】
受動ローラ１３０に近接して付箋紙送り方向上方には、サーマルヘッド２８に対峙するプラテンローラ１３２が配設されている。プラテンローラ１３２は、プリンタフレーム１０に回転自在に軸支されており、付箋紙４ｈをその先端から受け取り、サーマルヘッド２８と協働してこれに印刷を行う。プラテンローラ１３２は、その基端部にプラテンギヤ１３３が設けられており、プラテンギヤ１３３は、上方のリボン巻取機構２９（リボン巻取ギヤ４１あるいは巻取中間ギヤ４３）に噛合している。
【０１２０】
また、プラテンローラ１３２に近接して、プラテンローラ１３２と受動ローラ１３０との間には、プラテン伝達ギヤ１３４がプリンタフレーム１０に回転自在に軸支されている。プラテン伝達ギヤ１３４には、プラテンギヤ１３３が噛合していると共に、挟持位置にあるピックアップローラ５２のローラギヤ６３に噛合する。すなわち、プラテンローラ１３２は、ピックアップローラ５２が挟持位置に達したときに動力を伝達されて回転し、リボン巻取リール４９に動力を伝達してこれを回転させる。
【０１２１】
これにより、付箋紙４ｈは、さらに高い位置で挟持した状態となるため、一層その形態が急角度に傾斜する。このため、付箋紙４ｈは、十分な引き剥がし力を作用されて、糊付け部４ｊから引き出されて印刷に供され、プラテンローラ１３２により装置ケース２外に排出されてゆく。なお、ピックアップローラ５２は、端面カム機構によりプラテンローラ１３２が印刷済み付箋紙４ｈを送り出し排出をした後、印刷位置から退避して転接位置に戻る。
【０１２２】
本実施形態の付箋紙供給機構１３によれば、ピックアップローラ５２で付箋紙４ｈを捲り上げた後、一旦これを受動ローラ１３０とで挟持し、さらに高さレベルの高いプラテンローラ１３２に対し付箋紙４ｈを搬送するため、付箋紙４ｈをその糊付け部分４ｊから適切に引き剥がすことができる。また、付箋紙４ｈを先端側からプラテンローラ１３２に送り渡しているため、付箋紙４ｈの先端から印刷することができるようになる。
【０１２３】
次に、付箋紙４ｈを捲り上げてこれを先方に供給する付箋紙供給方法について、説明する。本方法においては、上記両実施形態のピックアップローラ５２を付箋紙４ｈに対し、転接させて捲り上げることには相違がないが、より付箋紙４ｈを捲り上げやすいものとしている。具体的には、図２１（ａ）、（ｂ）に示すように、付箋紙捲り上げ動作時に、付箋紙束４の先端に配設されたピックアップローラ５２を、付箋紙４ｈの基端側へと転接移動させながら、付箋紙束４から離間移動させるようにしてもよい。あるいは、付箋紙束４を保持する付箋紙ホルダ１１を、ピックアップローラ５２に対し上述のように相対移動させてもよい。これにより、付箋紙４ｈの更なる撓みを促進して、付箋紙４ｈの捲り上げを円滑に行うことができる。
【０１２４】
また、図２１（ｃ）に示すように、ピックアップローラ５２による付箋紙４ｈの捲り上げ動作に先立って、付箋紙束４がその中間部を水平姿勢から下側に撓ませた状態であってもよい。これにより、付箋紙４ｈは、自己の復元力により、先端が勢いよく撥ね上げられることとなる。この場合、付箋紙ホルダ１１が、付箋紙束４の長手方向の両端を挟持して、その中間部を押し下げる構成とすればよい。
【０１２５】
なお、この付箋紙供給方法、上記各実施形態の付箋紙ホルダ、および付箋紙供給機構は、上記実施形態の印刷前のみに限らず、印刷後の付箋紙の捲り上げに適用してもよい。たとえば、本出願人が先に出願した特願２０００−２４３６０９号に記載の付箋紙プリンタにおいて、ユーザに委ねた印刷済み付箋紙の引き剥がしを、上記各実施形態の付箋紙供給機構および付箋紙供給方法に適用することができる。これにより、ユーザに煩雑な作業を強いずにすむ。
【０１２６】
【発明の効果】
本発明の付箋紙ホルダによれば、最小幅に対応した支持幅を有するメインステージと、メインステージに隣接してその他の幅に対応する支持幅を、メインステージと共に或いは独立して構成するサブステージとを設け、且つこれらを独立して位置規制部に付勢しているため、幅の異なる複数種の付箋紙束を幅方向に位置規制した状態でセット位置に安定してセットすることができる。
【図面の簡単な説明】
【図１】本発明の一実施形態に係る付箋紙プリンタの全体斜視図である。
【図２】付箋紙プリンタの装置ケースを省略して内部の構造を示す斜視図である。
【図３】図２において、リボンカートリッジを装着した付箋紙プリンタの斜視図である。
【図４】付箋紙プリンタの内部の構造を示す分解斜視図である。
【図５】付箋紙ホルダ廻りを模式的に示しており、（ａ）２種類の付箋紙束の平面図、（ｂ）付箋紙ホルダの平面図、（ｃ）付箋紙ホルダの断面正面図、（ｄ）２種類の付箋紙束をセットした状態を示す矢視方向から見た断面図である。
【図６】付箋紙ホルダの変形例を示す断面模式図である。
【図７】付箋紙プリンタの装置ケースを省略して内部の構造を示す部分断面正面図である。
【図８】付箋紙プリンタの底面図である。
【図９】付箋紙供給機構廻りの斜視図である。
【図１０】端面カム機構による動作を示す付箋紙供給機構廻りの正面図である。
【図１１】付箋紙供給機構による一連の動作を示す流れ図である。
【図１２】付箋紙供給機構の変形例を簡略化して示す説明図である。
【図１３】パーソナルコンピュータと付箋紙プリンタとをリンクさせた状態を示す説明図である。
【図１４】パーソナルコンピュータと付箋紙プリンタとをリンクさせた状態のブロック図である。
【図１５】パーソナルコンピュータによるモニター画面上での操作を示す説明図。
【図１６】第２実施形態にかかる付箋紙ホルダ廻りを模式的に示しており、（ａ）はその平面図、（ｂ）ないし（ｆ）はその矢視方向から見た断面図である。
【図１７】第３実施形態にかかる付箋紙ホルダ廻りを模式的に示しており、（ａ）はその平面図、（ｂ）ないし（ｆ）はその矢視方向から見た断面図である。
【図１８】第４実施形態にかかる付箋紙ホルダ廻りを模式的に示しており、（ａ）はその平面図、（ｂ）ないし（ｆ）はその矢視方向から見た断面図である。
【図１９】第５実施形態にかかる付箋紙ホルダ廻りを模式的に示しており、（ａ）はその平面図、（ｂ）ないし（ｄ）はその矢視方向から見た断面図である。
【図２０】他の実施形態にかかる付箋紙供給機構廻りの正面図である。
【図２１】その他の付箋紙供給方法を示す説明図である。
【符号の説明】
１  付箋紙プリンタ            ２  装置ケース
３  プリンタ本体              ４  付箋紙束
４ｈ  付箋紙                  ４ｊ  糊付け部分
５  付箋紙導入開口            ６  付箋紙排出口
８  リボンカートリッジ      １１  付箋紙ホルダ
１２  付箋紙印刷機構          １３  付箋紙供給機構
２０  セットステージ          ２１  ホルダ本体
２２  蓋体                    ２３  付勢部材
２３ａ  メイン加圧ばね        ２３ｂ  サブ加圧ばね
２４  メインステージ          ２５  サブステージ
２６  位置規制部              ２８  サーマルヘッド
２９  リボン巻取機構          ４０  リボン巻取軸
４１  リボン巻取ギヤ          ５１  駆動モータ
５２  ピックアップローラ      ５５  カムリンク部材
６１  ローラ軸                ６２  ローラ本体
６３  ローラギヤ              ６８  入力ギヤ
７２  ピックアップアーム      ７４  軸受部
７５  支持ばね                ７６  係合ピン
８０  端面カム溝              ９１  案内ピン
９３  回動支軸                ９４  アーム係合部
１９０  サブステージ本体      １９１  ガイド部材
Ｒ  インクリボン            ＰＣ  パーソナルコンピュータ
【図１】
0003770123.tif 000002
【図２】
0003770123.tif 000003
【図３】
0003770123.tif 000004
【図４】
0003770123.tif 000005
【図５】
0003770123.tif 000006
【図６】
0003770123.tif 000007
【図７】
0003770123.tif 000008
【図８】
0003770123.tif 000009
【図９】
0003770123.tif 000010
【図１０】
0003770123.tif 000011
【図１１】
0003770123.tif 000012
【図１２】
0003770123.tif 000013
【図１３】
0003770123.tif 000014
【図１４】
0003770123.tif 000015
【図１５】
0003770123.tif 000016
【図１６】
0003770123.tif 000017
【図１７】
0003770123.tif 000018
【図１８】
0003770123.tif 000019
【図１９】
0003770123.tif 000020
【図２０】
0003770123.tif 000021
【図２１】
0003770123.tif 000022